(57)【要約】【課題】メインポール、サブポールがロック位置にある場合には、第１部材（ラチェット）と第２部材（ベースプレート）との相対回転が禁止されるリクライニング装置に関し、ロック強度が安定するリクライニング装置を提供することにある。【解決手段】  第１ポール（サブポール）４１のポールガイド突部（ポールガイド）３７と対向する面に、大荷重が作用した際に、ポールガイド突部（ポールガイド）３７の肉が侵入可能な凹部４１ｈを設ける。【選択図】図１
2019170790.tif 000002
【特許請求の範囲】
【請求項１】
内筒面に円周方向に沿って内歯が形成され、一方の面が開放面となった有底円筒状の第１部材と、
前記内歯と噛合可能な外歯を有したメインポールと、
前記内歯と噛合可能な外歯を有したサブポールと、
前記第１部材の開放面側に積層され、前記第１部材と前記円周方向に相対回転可能に設けられ、前記外歯が前記内歯に噛合するロック位置，前記外歯が前記内歯から離れたアンロック位置の間で前記メインポール、前記サブポールを案内するポールガイドが形成された第２部材と、
前記第１部材と前記第２部材との間で、回転可能に設けられ、ロック位置方向に前記メインポール、前記サブポールを押すカムと、
前記カムと前記メインポールとの間に設けられ、前記ロック位置では前記カムに押されて、前記メインポールと前記ポールガイドとに当接する第２カムと、
を有し、
前記メインポール、前記サブポールがロック位置にある場合には、
前記第１部材と第２部材との相対回転が禁止されるリクライニング装置であって、
前記サブポールの前記ポールガイドと対向する面に凹部を設けた
ことを特徴とするリクライニング装置。
【請求項２】
前記凹部は、前記サブポールのみに設けられる
ことを特徴とする請求項１記載のリクライニング装置。
【請求項３】
前記凹部は、
前記カム側より、前記外歯側が深くなっている
ことを特徴とする請求項１または２記載のリクライニング装置。 
【発明の詳細な説明】
【技術分野】
【０００１】
本発明は、内筒面に円周方向に沿って内歯が形成され、一方の面が開放面となった有底円筒状の第１部材と、前記内歯と噛合可能な外歯を有したメインポールと、前記内歯と噛合可能な外歯を有したサブポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記メインポール、前記サブポールを案内するポールガイドが形成された第２部材と、前記第１部材と前記第２部材との間で、回転可能に設けられ、ロック位置方向に前記メインポール、前記サブポールを押すカムと、前記カムと前記メインポールとの間に設けられ、前記ロック位置では前記カムに押されて、前記メインポールと前記ポールガイドに当接する第２カムと、を有し、前記メインポール、前記サブポールがロック位置にある場合には、前記第１部材と第２部材との相対回転が禁止されるリクライニング装置に関する。
【背景技術】
【０００２】
リクライニング装置の一例として、内筒面に円周方向に沿って内歯が形成され、一方の面が開放面となった有底円筒状の第１部材と、前記内歯と噛合可能な外歯を有したメインポールと、前記内歯と噛合可能な外歯を有したサブポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記メインポール、前記サブポールを案内するポールガイドが形成された第２部材と、前記第１部材と前記第２部材との間で、回転可能に設けられ、ロック位置方向に前記メインポール、前記サブポールを押すカムと、前記カムと前記メインポールとの間に設けられ、前記ロック位置では前記カムに押されて、前記メインポールと前記ポールガイドに当接する第２カムと、を有し、前記メインポール、前記サブポールがロック位置にある場合には、前記第１部材と第２部材との相対回転が禁止されるものがある。
【０００３】
そして、このリクライニング装置では、第２カムが楔のようにメインポールとポールガイドとの間に入り込んでいるので、メインポールがポールガイド間で動くことがなくなるため、ロック時にシートバックがガタつくことがない（例えば、特許文献１参照）。
【先行技術文献】
【特許文献】
【０００４】
【特許文献１】特許第5125836号公報
【発明の概要】
【発明が解決しようとする課題】
【０００５】
しかし、ロック状態の特許文献１に記載されたリクライニング装置に大荷重が作用すると、メインポール、サブポールをアンロック方向に移動させる力が発生し、ロック解除される問題点がある。
本発明は上記問題点に鑑みて成されたもので、その課題は、安定したロック強度が得られるリクライニング装置を提供することにある。
【課題を解決するための手段】
【０００６】
上述した課題のうち少なくとも一つを実現するために、本発明の一側面を反映したリクライニング装置は、内筒面に円周方向に沿って内歯が形成され、一方の面が開放面となった有底円筒状の第１部材と、前記内歯と噛合可能な外歯を有したメインポールと、前記内歯と噛合可能な外歯を有したサブポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記メインポール、前記サブポールを案内するポールガイドが形成された第２部材と、前記第１部材と前記第２部材との間で、回転可能に設けられ、ロック位置方向に前記メインポール、前記サブポールを押すカムと、前記カムと前記メインポールとの間に設けられ、前記ロック位置では前記カムに押されて、前記メインポールと前記ポールガイドに当接する第２カムと、を有し、前記メインポール、前記サブポールがロック位置にある場合には、前記第１部材と第２部材との相対回転が禁止されるリクライニング装置であって、前記サブポールの前記ポールガイドと対向する面に凹部を設けたことを特徴とする。
【０００７】
本発明の他の特徴は、以下に述べる発明を実施するための形態並びに添付の図面から一層明らかになるであろう。
【発明の効果】
【０００８】
本発明のリクライニング装置によれば、前記サブポールの前記ポールガイドと対向する面に凹部を設けたことにより、リクライニング装置に大荷重が作用した場合、ポールガイドの肉がサブポールの凹部に入り込み、サブポールのアンロック方向への移動を阻止する。よって、安定したロック強度が得られる。
【０００９】
本発明の他の効果は、以下に述べる発明を実施するための形態並びに添付の図面から一層明らかになるであろう。
【図面の簡単な説明】
【００１０】
【図１】本実施形態のリクライニング装置の分解斜視図である。
【図２】図１の分解斜視図を逆方向から見た分解斜視図である
【図３】図２のリクライニング装置から第１部材の一部、ばね、レリーズプレートを除いた状態で、矢印III方向から見た平面図でアンロック状態を説明する図である。
【図４】図３の状態からサブポールの外歯がラチェットの内歯に噛み合い始めた状態を説明する図である。
【図５】図４の状態からメインポールの外歯がラチェットの内歯に噛み合い始めた状態を説明する図である。
【図６】図５の状態からメインポールの外歯が完全にラチェットの内歯に噛み合った状態を説明する図である。
【図７】図１のカムの平面図である。
【図８】図１のメインポールの平面図である。
【図９】図１のサブポールを説明する図である。
【図１０】本実施形態のリクライニング装置が設けられたシートの構成図である。
【発明を実施するための形態】
【００１１】
図面を用いて実施形態を説明する。
最初に、図１０を用いて、本実施形態のリクライニング装置が設けられたシートの説明を行う。シート１は、着座者の臀部を支持するシートクッション２と、シートクッション２に対して前後方向に傾動可能に設けられ、着座者の背部を支持するシートバック３とからなっている。４はシートバック３の傾動の回転軸（Ｏ）上に設けられ、シートバック３の傾動を許可／禁止するリクライニング装置である。
【００１２】
また、このリクライニング装置４は、前倒れ状態から後ろ倒れ状態で傾動可能である。そして、初段ロック状態から後ろ倒れ状態までの間及び前倒れ状態では、シートバック３の傾動を許可／禁止可能となっているが、初段ロック状態から前倒れ状態までの間では、ロック解除保持機構により、ロック解除保持状態となり、操作レバーを操作しなくても、シートクッションの傾動が可能となっている。
【００１３】
本実施形態のリクライニング装置は、シートの左右に設けられ、構造は同じであるので、以下、一方の側のリクライニング装置４を説明する。
図１−図９を用いて、リクライニング装置４の説明を行う。図１は本実施形態のリクライニング装置の分解斜視図、図２は図１の分解斜視図を逆方向から見た分解斜視図、図３は図２のリクライニング装置から第１部材の一部、ばね、レリーズプレートを除いた状態で、矢印III方向から見た平面図でアンロック状態を説明する図、図４は図３の状態からサブポールの外歯がラチェットの内歯に噛み合い始めた状態を説明する図、図５は図４の状態からメインポールの外歯がラチェットの内歯に噛み合い始めた状態を説明する図、図６は図５の状態からメインポールの外歯が完全にラチェットの内歯に噛み合った状態を説明する図、図７は図１のカムの平面図、図８は図１のメインポールの平面図、図９は図１のサブポールを説明する図である。
【００１４】
図１、図２に示すように、シートバック３側に設けられるラチェット（第１部材）２１は、円板状の板材をプレスにより半抜加工した有底円筒状で、円形凹部２１ａが形成されている。この円形凹部２１ａの内周面には、内歯２３が円周方向全域に形成されている。また、円形凹部２１ａの中心には、シートバック３の傾動の回転軸（図１、図２において軸Ｏ）に沿って配置されるシャフト（図示せず）が遊挿される貫通した穴２１ｂが形成されている。尚、本実施形態の図示しないシャフトの断面形状は、円形でない形状（本実施形態では断面形状が小判形）とした。
【００１５】
シートクッション２側に設けられるベースプレート（第２部材）２５も、ラチェット２１と同様に円板状の板材をプレスにより半抜加工して形成され、円形凹部２５ａが形成されている。この円形凹部２５ａの径は、ラチェット２１の外径より若干大きく設定されている。そして、円形凹部２５ａに、ラチェット２１が嵌め込まれ、ベースプレート２５とラチェット２１とは相対回転可能となっている。また、ベースプレート２５の中心には、図示しないシャフトが遊挿される貫通した穴２５ｂが形成されている。
【００１６】
ラチェット２１の外周部と、ベースプレート２５の外周部とは、リング状の外周リング２７により挟持され、ラチェット２１とベースプレート２５とは、相対回転の軸Ｏ方向に分離されることなく、相対回転可能に保持されている。
ラチェット２１の円形凹部２１ａとベースプレート２５の円形凹部２５ａとが形成する空間には、カム３１が配置される。カム３１の中心には、図示しないシャフトが嵌合する穴（本実施形態では小判形）３１ａが形成されている。そして、図示しないシャフトとカム３１とは一体となって回転する。このため、この図示しないシャフトは、シートの両側部に設けられたリクライニング装置のうちの一方のリクライニング装置のカム３１の動きを他方のリクライニング装置のカムへ伝達する伝達部材となっている。又、カム３１には、ラチェット２１方向に突出する２つの突部３１ｃが形成されている。更に、図７にも示すように、カム３１の外周部には、図７において時計回り方向に、同一形状の２つの第１突部３１ｄ、第２突部３１ｅ、第３突部３１ｇ、同一形状の２つの第１突部３１ｄ、第２突部３１ｅ、第３突部３１ｇの順で形成されている。更に、カム３１の穴３１ａに繋がるように、後述する２つの線細工ばね５１が係合する２つの穴３１ｆが形成されている。
【００１７】
カム３１とラチェット２１の円形凹部２１ａとの間には、レリーズプレート３３が配置される。このレリーズプレート３３には、カム３１の２つの突部３１ｃが係合する穴３３ａが形成されている。この突部３１ｃと穴３３ａの係合により、カム３１とレリーズプレート３３とは一体となって回転する。又、レリーズプレート３３の中心部には、穴３３ｅが形成されている。
【００１８】
レリーズプレート３３とベースプレート２５の円形凹部２５ａとの間には、軸Ｏを中心とする円周方向に沿って、４つのポール、即ち、２つの第１ポール（サブポール）４１と２つの第２ポール（メインポール）４２とが交互に配置されている。尚、本実施形態では、第１ポール４１、第２ポール４２は、軸Ｏを中心とする円周方向において略９０°ピッチで配置されている。即ち、第１ポール４１は前後方向に、第２ポール４２は上下方向に、それぞれ対角配置されている。
【００１９】
第１ポール４１、第２ポール４２の内歯２３と対向する面には、内歯２３に噛合可能な外歯４１ａ、外歯４２ａが形成されている。
さらに、第２ポール４２とカム３１との間には、第２カム４４が配置されている。
図９に示すように、第１ポール４１の外歯４１ａが設けられた面と反対側の面には、カム３１の２つの第１突部３１ｄが当接可能で、同一形状の２つの第１被当接部４１ｂが形成されている。
【００２０】
また、図８に示すように、第２ポール４２の外歯４２ａが設けられた面と反対側の面には、第２カム４４が当接可能な第１被当接部４２ｂと、カム３１の第３突部３１ｇが当接可能な第２被当接部４２ｃとが形成されている。
図３−図６に示すように、第２カム４４には、カム３１の第２突部３１ｅが当接可能な第１被当接部４４ｄと、後述するポールガイド突部（ポールガイド）３７に当接可能なガイド当接部４４ａと、第２ポール４２の第１被当接部４２ｂに当接可能な第１当接部４４ｂとが形成されている。
【００２１】
ベースプレート２５の円形凹部２５ａには、相対回転の軸Ｏを中心とする円の周方向に沿って、９０°ピッチで４つのポールガイド突部３７が形成されている。
本実施形態では、図７に示すように、カム３１の第１突部３１ｄの周面（第１ポール（サブポール）４１を押す面）は、カム３１の回転中心を中心とした円の円周面となっている。即ち、カム３１の第１ポール（サブポール）４１を押す面である第１突部３１ｄは、カム３１の回転軸との距離が一定となっている。
【００２２】
次に、カム３１の第２突部３１ｅの周面と、第３突部３１ｇの周面とは、カム３１の回転中心を中心とした円の円周横切るような面であり、更に、カム３１が矢印Ｔ方向に回転すると、カム３１の回転中心からの距離が長くなるような面に設定されている。即ち、カム３１の第２カム４４を押す面と、第２ポール（メインポール）４２を押す面とは、ロック位置に向かうに従って、カム３１の回転軸との距離が漸次的に長くなるようになっている。
【００２３】
そして、カム３１、第１ポール（サブポール）４１、第２ポール（メインポール）４２は、以下のような作動を行うように形成されている。
即ち、カム３１が矢印Ｔ方向に回転した時、最初に、第１ポール４１の外歯４１ａがラチェット（第１部材）２１の内歯２３に噛み合い始め、次に第２ポール４２の外歯４２ａがラチェット３１の内歯２３に噛み合い始める。その後、第２ポール４２はカム３１によって引き続き内歯２３方向に押されるが、第１ポール４１は内歯２３方向に押されず、その位置で留まる。そして、ロック位置では、カム３１が第２ポール４２を押すと共に、第２カム４４が第２ポール４２を押すことで、第２ポール４２の外歯４２とラチェット２１の内歯２３とが完全噛み合い状態（隙間のない噛合状態）となり、第１ポール４１の外歯４１ａとラチェット２１の内歯２３とは甘噛み状態（遊びがある噛合状態）となる。
【００２４】
尚、本明細書では、第２ポール（メインポール）４２、第１ポール（サブポール）４１の外歯４２ａ、４１ａがラチェット（第１部材）２１の内歯２３に噛み合っている状態で、ロック方向・アンロック方向に移動できない遊び（隙間）がない噛合状態を完全噛み合い状態といい、ロック方向・アンロック方向に若干移動できる遊び（隙間）がある噛合状態を甘噛み状態という。
【００２５】
隣接する２つのポールガイド突部３７により、第１ポール４１、第２ポール４２は相対回転の軸Ｏを中心とする円の径方向にのみ移動可能となっている。即ち、ポールガイド突部３７は、外歯４１ａ、外歯４２ａがラチェット２１の内歯２３と噛合するロック位置，外歯４１ａ、外歯４２ａがラチェット２１の内歯２３から離れたアンロック位置の間で、第１ポール４１、第２ポール４２を案内する。
【００２６】
第１ポール４１、第２ポール４２のレリーズプレート３３と対向する面には、レリーズプレート３３方向に突出する突部４１ｄ、突部４２ｄが形成されている。レリーズプレート３３には、第１ポール４１の突部４１ｄ、第２ポール４２の突部４２ｄが係合するカム穴３３ｂが形成されている。このカム穴３３ｂには、第１ポール４１の突部４１ｄ、第２ポール４２の突部４２ｄが当接する傾斜面が形成され、ロック状態でレリーズプレート３３が図１、図２において矢印Ｔ方向と逆方向に回転すると、ポールガイド突部３７に沿って、第１ポール４１の外歯４１ａ、第２ポール４２の外歯４２ａがラチェット２１の内歯２３より離れる方向（アンロック位置方向）に第１ポール４１、第２ポール４２を移動させる形状に設定されている。
【００２７】
レリーズプレート３３とラチェット２１の円形凹部２１ａとの間には、略Ｃ状に湾曲された２つの線細工ばね５１が配置される。
第１ポール４１、第２ポール４２の側部を挟むように設けられた隣接する２つのポールガイド突部（ポールガイド）３７には、それぞれ、第１ポール４１、第２ポール４２の一方の側部と対向する第１ポールガイド３７ａと、第１ポール４１、第２ポール４２の他方の側部と対向する第２ポールガイド３７ｂとが形成されている。
【００２８】
また、本実施形態では、ポールガイド突部３７の強度は、第１ポール４１の強度より低く設定されている。
そして、第１ポール４１の第１ポールガイド３７ａ、第２ポールガイド３７ｂと対向する面にシートバック３に入った大荷重により、ラチェット２１が回転し、第１ポール４１がポールガイド突部３７に押しつけられた際に、ポールガイド突部３７の肉が侵入可能な凹部４１ｈが形成されている。
【００２９】
図９に示すように、凹部４１ｈは、カム３１側より、外歯４１ａ側が深くなっている。そして、凹部４１ｈの外歯４１ａ側には、大荷重作用時に、凹部４１ｈに侵入したポールガイド突部３７の肉が当接して、第１ポール４１のアンロック方向への移動を阻止する押さえ部４１ｉが形成されている。
【００３０】
第２ポール４２の一方の側部と対向する第１ポールガイド３７ａには、第２ポール４２の一方の側部との間に空間を形成する凹部３７ｆが形成されている。尚、本実施形態では、第２ポール４２の他方の側部と対向する第２ポールガイド３７ｂにも、第２ポール４２の他方の側部との間に空間を形成する凹部３７ｆ’が形成されている。
【００３１】
２つの線細工ばね５１の一方の端部側には、ベースプレート２５側に折曲された第１端部５１ａが形成され、他方の端部側には、ベースプレート２５側に折曲された第２端部５１ｂが形成されている。
そして、線細工ばね５１は、弾性変形した状態で、その第１端部５１ａは、レリーズプレート３３の穴３３ｅを通り、カム３１に形成された穴３１ｆに係合し、第２端部５１ｂは、第１ポールガイド３７ａの凹部３７ｆに挿入されている。
【００３２】
線細工ばね５１の弾性反発力により、線細工ばね５１の第１端部５１ａは、カム３１の穴３１ｆの内壁面を押圧し、カム３１は、第１突部３１ｄ、第２突部３１ｅ、第３突部３１ｇが、それぞれ第１ポール４１の第１被当接部４１ｂ、第２ポール４２の第２被当接部４２ｃ、第２カム４４の第１被当接部４４ｄに対向する方向（一方の方向）に付勢されている。
【００３３】
第１ポールガイド３７ａの凹部３７ｆに挿入された第２端部５１ｂは、第２ポール４２の一方の側部を押圧し、第２ポール４２を第２ポール４２の他方の側部と対向する第２ポールガイド３７ｂの方向に押しつけている。尚、本実施形態においては、線細工ばね５１はロック状態←→アンロック状態へのそれぞれの移動中も常に第２ポール４２を第２ポール４２の他方の側部と対向する第２ポールガイド３７ｂに押しつけている。
【００３４】
また、本実施形態では、線細工ばね５１の第２端部５１ｂと、ポールガイド突部３７の凹部３７ｆとの嵌合（挿入）は、線細工ばね５１の第２端部５１ｂが直接第２ポール４２の一方の側部を押圧付勢している。線細工ばね５１の第２端部５１ｂの押圧面と反対側の面側には空間（隙間）が存在し、線細工ばね５１の第２端部５１ｂに付勢力と異なる方向に付勢力以上の力が作用すると、第２端部５１ｂは第２ポール４２の一方の側部から離脱（離間）する方向に移動可能となっている。
【００３５】
そして、第１ポール４１、第２ポール４２がロック位置にある場合、図６に示すようにカム３１より力Ｆを受ける第２カム４４は、力Ｆの分力Ｆ’で第２ポール４２をロック位置方向に押すと共に、第２ポール４２をポールガイド突部３７の第２ポールガイド３７ｂに押しつける。また、力Ｆの分力Ｆ”で，第２カムは、ポールガイド突部３７の第１ポールガイド３７ａを押す。
【００３６】
ここで、上記構成のリクライニング装置の作動を説明する。
（第１ポール、第２ポールをロック位置からアンロック位置へ移動させる場合）
通常、図６に示すように、線細工ばね５１の弾性反発力により、カム３１を介して、ベースプレート２５に設けられた第１ポール４１、第２ポール４２は、外歯４１ａ、外歯４２ａが、ラチェット２１の内歯２３に噛合したロック位置にあり、ラチェット（第１部材）２１とベースプレート（第２部材）２５との相対回転は禁止され、シートバックはシートクッションに対して回転ができない状態（ロック状態）にある。
【００３７】
線細工ばね５１の付勢力に抗して、カム３１を操作して、他方の方向（矢印Ｔと逆の方向）に回転させると、カム３１の突部３１ｃとレリーズプレート３３の穴３３ａの係合関係から、レリーズプレート３３も共に回転する。この時、カム３１の第１突部３１ｄによる第１ポール４１の第１被当接部４１ｂおよびカム３１の第２突部３１ｅによる第２カム４４の第１被当接部４４ｄへの押圧と、カム３１の第３突部３１ｇによる第２ポール４２の第２被当接部４２ｃへの押圧とが解除される。
【００３８】
更に、レリーズプレート３３が回転すると、ポール４１の突部４１ｄが係合するレリーズプレート３３のカム穴３３ｂの傾斜面により、第１ポール４１、第２ポール４２（および第２カム４４）は、外歯４１ａ、外歯４２ａとラチェット２１の内歯２３との噛合が解除されたアンロック位置に移動し、図３に示すようにラチェット（第１部材）２１とベースプレート（第２部材）２５との相対回転が可能となり、シートバックはシートクッションに対して回転可能（アンロック状態）となる。この時、線細工ばね５１の第２端部５１ｂにより第２ポール４２は第２ポールガイド３７ｂに押しつけられている。
（第１ポール、第２ポールをアンロック位置からロック位置へ移動させる場合）
図３に示すアンロック状態において、カム３１への操作力を解除すると、線細工ばね５１の付勢力により、カム３１、レリーズプレート３３は矢印Ｔ方向に回転する。
【００３９】
先ず、図４に示すように、カム３１の２つの第１突部３１ｄの少なくとも一方が第１ポール４１の２つの第１被当接部４１ｂを押圧し、第１ポール（サブポール）４１の外歯４１ａがラチェット２１の内歯２３に噛み合い始める。尚、ここでの噛み合い始めとは、外歯と内歯とが周方向で重なり始める状態をいう。
【００４０】
更に、カム３１が回転すると、図５に示すように、カム３１の第３突部３１ｇが第２ポール４２の第２被当接部４２ｃを押圧し、第２ポール（メインポール）４２の外歯４２ａがラチェット２１の内歯２３に噛み合い始める。尚、カム３１の第２突部３１ｅも第２カム４４の第１被当接部４４ｄを押圧し始めるが、第２カム４４はその第１当接部４４ｂが第２ポール４２の第１被当接部４２ｂを押圧していない。
【００４１】
更に、カム３１が回転すると、図６に示すように、カム３１の第３突部３１ｇによる第２ポール４２の第２被当接部４２ｃへの押圧と、第２カム４４の第１当接部４４ｂによる第２ポール４２の第１被当接部４２ｂへの押圧とにより、第２ポール（メインポール）４２の外歯４２ａとラチェット（第１部材）２１の内歯２３とが完全噛み合い状態となり、第１ポール（サブポール）４１の外歯４１ａとラチェット（第１部材）２１の内歯２３とは甘噛み状態となる。
【００４２】
更に詳しく説明すると、カム３１の第１ポール（サブポール）４１の２つの第１被当接部４１ｂを押す面である２つの第１突部３１ｄは、カム３１の回転軸との距離が一定である。そして、図６に示すロック状態では、カム３１を矢印Ｔ方向にいくら回転しても、第１ポール（サブポール）４１の外歯４１ａとラチェット（第１部材）２１の内歯２３とは甘噛み状態となるように、カム３１、第１ポール４１の形状が設定されている。尚、図６では第１ポール４１も内歯２３と完全噛み合い状態の様に見えるが、実際には、少しだけロック、アンロック方向に移動できる様な遊び（隙間）が設けられている。
【００４３】
また、カム３１の第２カム４４を押す面である第２突部３１ｅと、第２ポール（メインポール）４２を押す面である第３突部３１ｇは、ロック位置に向かうに従って、カム３１の回転軸との距離が漸次的に長くなるようになっている。よって、カム３１を矢印Ｔ方向に回転させることにより、第２ポール（メインポール）４２の外歯４２ａとラチェット（第１部材）２１の内歯２３とが完全噛み合い状態となる。
【００４４】
本実施形態によれば、以下のような効果が得られる。
(1) ロック位置において、第２ポール４２とポールガイド突部３７との間に楔のように第２カム４１が入り込むので、シートバック３のガタつきを抑えつつ、更に第１ポール４１のポールガイド突部３７と対向する面に大荷重が作用した際に、ポールガイド突部３７の肉が侵入可能な凹部４１ｈを設けたことにより、リクライニング装置に大荷重が作用した場合、ポールガイド突部３７の肉が第１ポール４１の凹部４１ｈに入り込み、第１ポール４１のアンロック方向への移動を阻止する。よって、シートバックのガタつき防止と安定したロック強度とが両立できる。
【００４５】
(2) 凹部４１ｈは第１ポール４１にのみ設けられており、第２ポール４２には設けていないため、第２ポール４２が、第２カム４４によってポールガイド突部３７に押圧されながらロック位置方向へ摺動する際の妨げにならない。
(3) 凹部４１ｈは、カム３１側より、外歯４１ａ側が深くなっている。そして、凹部４１ｈの外歯４１ａ側には、大荷重作用時に、凹部４１ｈに侵入したポールガイド突部３７の肉が当接して、第１ポール４１のアンロック方向への移動を阻止する押さえ部４１ｉが形成されていることにより、更に安定したロック強度が得られる。
【００４６】
尚、本発明は上記実施の形態に限定するものではなく、以下のような形態でも良い。
(1) 凹部４１ｈは、外歯４１ａ側よりカム３１側が深くなってもよい。
(2) 凹部４１ｈは、外歯４１ａ側とカム３１側の深さが同じでもよい。
(3) 凹部４１ｈが形成される場所は、より外歯４１ａに近い側であったり、よりカム３１に近い側であってもよい。
【符号の説明】
【００４７】
２１  ラチェット（第１部材）
２５  ベースプレート（第２部材）
３１  カム
３７  ポールガイド突部（ポールガイド）
４１  第１ポール
４１ｈ  凹部
４２  第２ポール
５１  線細工ばね
【図１】
2019170790.tif 000003
【図２】
2019170790.tif 000004
【図３】
2019170790.tif 000005
【図４】
2019170790.tif 000006
【図５】
2019170790.tif 000007
【図６】
2019170790.tif 000008
【図７】
2019170790.tif 000009
【図８】
2019170790.tif 000010
【図９】
2019170790.tif 000011
【図１０】
2019170790.tif 000012